(57)【特許請求の範囲】
【請求項１】
採取台上に載置された指掌を裏面から光学的に読み取って指掌紋を採取するに際して指掌に塗布して使用する指掌紋押捺用皮膚調整剤において、
油脂性成分を過剰量の界面活性剤を使用してｏ／ｗ型エマルションの形態で含有することを特徴とする指掌紋押捺用皮膚調整剤。
【請求項２】
前記油脂性成分が高級脂肪酸低級アルコールエステル／低級多価アルコール併用系であることを特徴とする請求項２記載の指掌紋皮膚調整剤。
【請求項３】
前記高級脂肪酸低級アルコールエステルの低級アルコールが２級アルコールであり、かつ、前記低級多価アルコールが３価以上であることを特徴とする請求項２記載の指掌紋皮膚調整剤。
【請求項４】
前記界面活性剤として非イオン界面活性剤を含有するものであることを特徴とする請求項１記載の指掌紋押捺用皮膚調整剤。
【請求項５】
さらに、発汗抑制剤を含有することを特徴とする請求項１記載の指掌紋押捺用皮膚調整剤。
【請求項６】
前記発汗抑制剤が、低級アルコール（炭素数１〜３）／収斂剤併用系であることを特徴とする請求項３記載の指掌紋押捺用皮膚調整剤。
【請求項７】
前記１〜６のいずれかに記載の指掌紋皮膚調整剤が噴射剤と混合されてエアゾール容器に添加されてフォーム状に前記エアゾール容器から吐出可能とされていることを特徴とする指掌紋押捺用皮膚調整剤。
【発明の詳細な説明】
【０００１】
【発明の属する技術分野】
本発明は、採取台上に載置された指掌を裏面から光学的に読み取って指掌紋を採取するに際して指掌に塗布して使用する指掌紋押捺用皮膚調整剤に関する。特に、フォーム（泡）状に塗布容器から吐出して使用するのに好適な指掌紋押捺用皮膚調整剤に関し、特に、指掌紋押捺装置に好適な発明である。
【０００２】
【背景技術】
従来は、黒や朱等のインクを指又は掌に付着させて指掌紋を採取していたが、昨今、自動押捺装置を使用して、指掌紋を採取する方向にある。自動押捺装置を使用した場合、▲１▼鮮明な指掌紋が採取できる、▲２▼インクを使用せずに指掌紋の採取ができる、▲３▼データを通信回線を利用して直接的に遠隔地に転送できる、等の利点があるためである。
【０００３】
指掌紋自動押捺装置の原理は、たとえば、図１に示す如くである。
【０００４】
三角プリズム１２の上面とする平面１２ａから頂角を形成する一対の斜面１２ｂ、１２ｂを挟んで、下方に対抗して光源（発光ダイオード）１４とＣＣＤ（charge coupled device)カメラ（センサー）１６を配設して、上記三角プリズム１２の上面に配された指掌紋採取台（プラテン：通常、透明ガラス板）１８に載置した指や掌に、裏面側から光を当て反射する光をＣＣＤカメラ１６で読み取って、デジタル画像処理して、ディスプレイ装置に表示するとともに、ハードディスクおよび／又は外部記憶装置（フロッピーディスク等）に記憶させるものである。
【０００５】
【発明が解決しようとする課題】
上記指掌紋自動押捺装置で採取するとき、特に乾燥肌の人（年寄りや手がカサカサの人）、多汗性の人（緊張している人）、脂性の人等に、それぞれ不都合な場合が出てくることが分かった。
【０００６】
乾燥肌の人が指掌紋自動押捺装置を使い普通に採取するときは、指紋（隆線）が途切れ途切れの状態で採取されるなど鮮明な画像が得られず、確実な指紋採取ができない。この原因として、考えられることは、指掌に皮脂分が少なく、プラテンのセンサー部（カメラ）でうまく感知できないためである。
【０００７】
また、多汗性の人、脂性の人が指掌紋自動押捺装置を使い普通に採取するときは、上記とは逆で汗や皮脂分が多すぎて指紋（隆線）を潰してしまい指紋がにじんでしまう。
【０００８】
現在、乾燥肌の人等の対策として、一般に販売されているハンドクリーム等を利用し、指掌に、ある程度の油脂分を与えてから指紋を採取している。しかしこの様なハンドクリームの剤型の多くは、流動性のないｗ／ｏ型エマルションであり、余計に油脂分を与えることになり、ベタツキを感じたり、また指掌紋自動押捺装置の感知部分に多量に油脂が残り、採取するごとにプラテン部を拭き取らないと、次に採取する指紋（隆線）が重なって写ってしまうという不都合が生じている。
【０００９】
また、多汗性の人、脂性の人等の対策として、現在指紋を採取する前に、手を水で洗ったり、タオルやウェットティッシュ等で拭いたりしている。しかし拭きすぎたり、発汗がかなり早い人等にとっては、有効な対策とは言えない。
【００１０】
本発明は、上記にかんがみて、指掌紋採取台上に載置された指掌を裏面から光学的に読み取って指掌紋を採取するに際して、乾燥肌・多汗性・脂性の人等に不都合が発生せず、かつ、指掌紋採取後に手の洗う必要のない指掌紋押捺用皮膚調整剤を提供することを目的とする。
【００１１】
【課題を解決するための手段】
本発明者らは、上記課題を解決するために、本発明に係る指掌紋押捺用皮膚調整剤は、上記課題を、下記構成により解決するものである。
【００１２】
採取台上に載置された指掌を裏面から光学的に読み取って指掌紋を採取するに際して指掌に塗布して使用する指掌紋押捺用皮膚調整剤において、
油脂性成分を過剰量の界面活性剤を使用してｏ／ｗ型エマルションの形態で含有するとともに、発汗抑制剤を含有することを特徴とする。
【００１３】
上記構成において、油脂性成分が、高級脂肪酸低級アルコールエステル／低級多価アルコール併用系であることが、油脂性成分の指掌補給効果を得易くて望ましい。ここで、発刊抑制剤として収斂剤を添加することにより、多汗性や脂性の人への対応が容易となる。
【００１４】
そして、上記指掌紋皮膚調整剤が噴射剤と混合してエアゾール容器に充填して、フォーム状にエアゾール容器から吐出可能とすることが、取扱性および指掌への塗布性の見地から望ましい。
【００１５】
【構成の詳細な説明】
以下、本発明の構成について、詳細に説明する。以下、炭化水素系化合物においては、低級とは炭素数２〜５、高級とは炭素数６以上を意味する。
【００１６】
本発明者らは、前記課題を解決するため、簡便な使用方法で万人にも利用できるような指掌紋押捺用皮膚調整剤の開発に努力をする仮定で、問題なく鮮明で確実な指紋を採取できる原料選択と剤型として、人に対して安全な油脂性成分又は界面活性剤を幾らか手に与える必要があるとともに、油脂性成分を過剰量の界面活性剤を使用してｏ／ｗ型エマルションの形態で含有する必要があることを見出し、本発明に想到した。
【００１７】
油脂性成分とは、油脂を含む広い概念であり、化粧品原料の鉱物油や油脂類が適当であり例えば、下記例示のものを単独又は複数種組み合わせて使用可能である。
【００１８】
▲１▼炭化水素：流動パラフィン、ワセリン、スクワレン、スクワラン等
▲２▼油脂：オリーブ油、ヒマシ油、ミンク油、ツバキ油、アマニ油等
▲３▼ロウ類：カルナバロウ、ホホバ油、ラノリン等
▲４▼高級脂肪酸：ラウリン酸、ミリスチン酸、パルミチン酸、ステアリン酸、オレイン酸、リノール酸等、
▲５▼高級アルコール：ラウリルアルコール、セチルアルコール、オレイルアルコール等、
▲６▼高級脂肪酸エステル：ミリスチン酸イソプロピル、イソステアリン酸イソプロピル、ステアリン酸ブチル、イソオクタン酸セチル、ミリスチン酸オクチルドデシル等、
▲７▼シリコーン油：ジメチルポリシロキサン、メチルフェニルポリシロキサン、オクタンメチルシクロテトラシロキサン等、
▲８▼多価アルコール：エチレングリコール、ジエチレングリコール、プロピレングリコール、グリセリン、１，３−ブチレングリコール等、
これらは単独でまたは、２種以上を混合して用いることができる。また、これらの中で、皮膚に馴染みやすく、使用感が良好で、ベトツキが無くサラッとした感触を持つものが好適に使用できる。たとえば、炭化水素、脂肪酸エステル、多価アルコール、シリコーン油を好適に使用でき、特に、高級脂肪酸の低級アルコールエステル（例えば、上記ミリスチン酸イソプロピル、イソステアリン酸イソプロピル、ステアリン酸ブチル、等）を好適に使用できる。これらの高級脂肪酸の低級アルコールエステルは皮膚に対して浸透性が良好でベタツキ感を与え難いためである。
【００１９】
そして各油脂性成分である。配合量に関しては、各油脂性成分の性状や配合によって異なるため限定できないが、たとえば、炭化水素単独の場合、３〜１５％（望ましくは、５〜１０％）、脂肪酸エステル／多価アルコール併用系の場合、合計で２〜１０％（望ましくは３〜７％）、混合比（前者／後者）＝８／２〜４／６（望ましくは７／３〜５／５）とする。
【００２０】
ここで、ｗ／ｏ型エマルションでは、前述の如く、流動性のないｗ／ｏ型エマルションであり、余計に油脂性成分を与えることになり、ベタツキを感じたり、また指掌紋自動押捺装置の感知部分に多量に油脂性成分が残り、採取するごとにプラテン部を拭き取らないと、次に採取する指紋（隆線）が重なって写ってしまうという問題点が発生し易い。すなわち、流動性のあるｏ／ｗ型エマルションとすることにより、余分な油脂性成分が指掌に付着するのを削減することを検討した。
【００２１】
そこで上記の油脂性成分を使い、流動性のあるｏ／ｗ型エマルションを作るためには、適当な界面活性剤を利用することが有効である。
【００２２】
界面活性剤としては、下記各タイプのものが使用可能であるが、特に、非イオン界面活性剤を含有させることが、ｏ／ｗ型エマルションを調製しやすくて望ましい。非イオン界面活性剤は、汗や皮膚表面に存在するイオン性化合物と反応することがなく、かつ、アルキレンオキシド付加数を変更することによりＨＬＢ（Hydrophilic-Lipophilic Balance) を容易に調整できるためである。
【００２３】
▲１▼エステル型非イオン界面活性剤：グリセリン脂肪酸エステル、ポリグリセリン脂肪酸エステル、ポリエチレングリコール脂肪酸エステル、ポリオキシエチレングリセリン脂肪酸エステル、ポリオキシエチレンソルビット脂肪酸エステル、ポリオキシエチレンソルビタン脂肪酸エステル、ソルビタン脂肪酸エステル、ポリオキシエチレン脂肪酸アミドエステル、ショ糖脂肪酸エステル、ポリオキシエチレン等、
▲２▼エーテル型非イオン界面活性剤：ポリオキシエチレンアルキルエーテル、ポリオキシエチレンアルキルフェニルエーテル、ポリオキシエチレンポリオキシプロピレンアルキルエーテル等、
▲３▼エーテルエステル型非イオン界面活性剤等：ポリオキシエチレンヒマシ油、ポリオキシエチレン硬化ヒマシ油等、
▲４▼陰イオン界面活性剤：高級脂肪酸塩、アルキル硫酸塩、ポリオキシエチレンアルキルエーテル硫酸塩等の硫酸エステル塩、アルキルスルホン酸塩、Ｎ−アシルスルホン酸塩等のスルホン酸塩、アルキルリン酸塩等のリン酸エステル塩、Ｎ−アシルアミノ酸塩、アルキルエーテルカルボン酸塩等のカルボン酸塩、Ｎ−アシルメチルタウリン塩、ポリオキシエチレンアルキルエーテル酢酸塩、アミノ酸塩等、
▲５▼陽イオン界面活性剤、脂肪族アミン塩、脂肪族四級アンモニウム塩、ベンザルコニウム塩、塩化ベンゼトニウム、ピリジニウム塩、イミダゾリニウム塩等
▲６▼両性界面活性剤：レシチン、スルホベタイン、イミダゾリン型、酢酸ベタイン型等剤等、
これらの内で、安全性や皮膚刺激性の見地からと化粧品原料や食品添加物に使用されているものが好ましい。これらは単独でまたは２種以上を混合して用いることができる。
【００２４】
発汗抑制剤としては、下記低級アルコール（炭素数２〜５）および収斂剤をそれぞれ単独で又は併用して使用することができる。
【００２５】
▲１▼低級アルコール…エタノール、変性エタノール、ｎ−プロパノール、イソプロパノール、ｎ−ブタノール、イソブタノール等の炭素数２〜４の低級アルコールが挙げられ、これらは単独でまたは２種以上を混合して用いることができる。特にエタノール、変性エタノール、イソプロパノールが好ましい。
【００２６】
▲２▼陽イオン収斂剤…アラントインクロルヒドロキシアルミニウム、クロルヒドロキシアルミニウム、パラフェノールスルホン酸亜鉛、塩化亜鉛、硫酸亜鉛、硫酸アルミニウムカリウム等の陽イオン収斂剤、クエン酸、酒石酸、乳酸、コハク酸、リンゴ酸、ハマメリス、アロエ、ホップ等の陰イオン収斂剤が挙げられ、これらは単独でまたは２種以上を混合して用いることができる。
【００２７】
この指掌紋皮膚調整剤には、必要に応じて防腐剤、殺菌剤、抗菌剤、消臭剤、香料、酸化防止剤、保湿剤、増粘剤、ビタミン剤、清涼剤等の添加剤を配合してもよい。ただし本来の目的が失われない範囲で添加する。
【００２８】
上記指掌紋皮膚調整剤の保存／塗布方法は、特に限定されないが、当該指掌紋皮膚調整剤を噴射剤と混合してエアゾール容器に添加し、フォーム状にエアゾール容器から吐出可能とすることが、機能性、保存性の見地から望ましい。
【００２９】
エアゾールの噴射パターンには、霧状噴射、棒状噴射、泡状噴射等種々あるが、使い勝手を考慮すると上記フォーム状（泡状）噴射が有効である。泡にすることで簡単に使用でき、１回の噴射で適量を計れ、掌に垂れることなく安定した形で取れ、手全体にむらなく均一に塗布することが可能で便利である。しかも噴射剤の気化熱により爽快感を付与できるためである。
【００３０】
また、指掌紋を採取される人は、幾らかの不安等を感じるため極力刺激の少ないものにしないと、素直に採取できなくなる。
【００３１】
泡状噴射にするためには、上記の界面活性剤の中で気泡力のある物質を使用することが好ましい。さらに脂性の人のために、油脂分を手の中で乳化してしまう様な界面活性剤（非イオン界面活性剤を主とする。）を選択することが望ましい。
【００３２】
▲１▼上記噴射剤としては、特に限定されるものではなく、液化石油ガス（ＬＰＧ）、ジメチルエーテル（ＤＭＥ）、代替フロン等、更には炭酸ガス、窒素ガス等の圧縮ガスが、単独または２種以上併用して使用可能である。
【００３３】
ここでは、泡状噴射なので液化石油ガス（ＬＰＧ）の利用が有効的である。
【００３４】
▲２▼上記原液（指掌紋皮膚調整剤）と噴射剤の充填割合は、重量比で通常９８／２〜８０／２０、望ましくは、９７／３〜８５／１５、さらに望ましくは９６／４〜９０／１０である。また、内圧の見地からは、通常３５℃で内圧は、０．２０〜０．８ＭＰａ（望ましくは、０．３５〜０．７ＭＰａ）になるように調整する。
【００３５】
噴射剤が少なすぎると、気泡力のない泡になり、安定感がなく掌から垂れ落ち、手全体に均一に塗布できなくなる。また噴射剤が多すぎると破泡性が現れ、これも安定感がなく鮮明な指紋を採取することが難しくなる。
【００３６】
【実施例】
下記に実施例を挙げ、説明するが、これらに限定されるものではない。
【００３７】
＜エアゾール組成物の調製＞
表１〜４に示す各実施例の各原料を通常の方法で流動性のあるｏ／ｗ型エマルションに調合し原液を作る。原液をエアゾール用耐圧容器に充填し、エアゾール用バルブを差し込みクリンチした後、噴射剤である液化石油ガス（ＬＰＧ）を、表示の各比率で充填する。エアゾール用耐圧容器、エアゾール用バルブは、汎用のもの（アルミ缶、内容量：１００ｍＬ）を使用した。
【００３８】
【表１】
0004143715.tif 000002
【００３９】
【表２】
0004143715.tif 000003
【００４０】
【表３】
0004143715.tif 000004
【００４１】
【表４】
0004143715.tif 000005
【００４２】
＜試験方法＞
室温下、上記エアゾール組成物を乾燥肌の人、多汗性の人、脂性の人に片方の掌に１回噴射し、両手全体隅々までよく馴染ませる（１回の噴射量は、ピンポン玉１個位の大きさとする）。その後、指掌紋自動押捺装置の手順に従い両手の指掌紋を一つずつ採取していく。
【００４３】
そして、各下記検査項目について、下記基準で触感／目視評価を行なった。そして、各評価基準は、
Χ：問題あり、△：やや問題あり、○：ほとんど問題なし、◎：問題なし
とした。
【００４４】
▲１▼両手のベトツキ：フォーム塗布直後と全指掌紋採取後の両手全体について、タオル、ティシュ等でふき取る必要がある感覚を生じるか否かで判定。
【００４５】
▲２▼指紋隆線の形：フォームを塗布することによって、指掌紋全体に均一に塗布でき、隆線全体に極端に不自然な線が生じないか否かをモニター画面で判定。
【００４６】
▲３▼指紋隆線のムラ：フォームを指掌紋全体に均一に塗布でき、隆線全体に濃淡なく略均一に採取できるか否かをモニター画面で判定。
【００４７】
▲４▼指紋隆線の鮮明性：一回の噴射（ピンポン玉位）での油脂分が適量で、採取後の映像が鮮明か否かをモニター画面で判定。
【００４８】
▲５▼指紋隆線のにじみ：多汗性、脂性の人に関して、全指掌紋採取中に発汗や油が出てきて、隆線がにじんで、採取し難くなるか否かをモニター画面で判定。
【００４９】
▲６▼検知部分の油脂残：次の指掌紋採取時に前の指掌紋が、検知部分に残っているか否かをモニター画面で判定（油脂が残っておればモニタ画面に黒くでる）。
【００５０】
▲７▼指紋採取の持続性：一回の噴射（ピンポン玉位）で、全指掌紋が安定して採取できるか否かをモニター画面で判定。
【００５１】
▲８▼指紋採取の再現性：一採取箇所について、連続して２〜３回の採取が可能か否かをモニター画面で判定。
【００５２】
＜試験結果および評価＞
各実施例の結果を表３〜５に示す。各実施例の評価をまとめると、下記の如くになる。
【００５３】
実施例１：持続性、再現性は良好であるが、鮮明で確実な指紋と採取することに問題が発生し易く、多汗性や脂性のひとには、効果が低い。
【００５４】
油脂性成分として、皮膚への浸透性がほとんどない流動パラフィンを多量に用いたためであると推定される。
【００５５】
実施例２：持続性、再現性は良好で、鮮明で確実な指紋の採取がある程度可能になるが、ベトツキ（多汗性や脂性のひと）および検知部分に脂残が発生し易い。
【００５６】
脂成分として、流動パラフィンの配合量を減らし、保湿剤として低級多価アルコール（１，３−ブチレングコール）を加えたことで、皮膚になじみ易くなったためであると推定される。
【００５７】
実施例３：乾燥肌や多汗性の人に対しては、各試験項目で改善されたが、多感性の人に対しては、ベトツキや指紋隆線のにじみが発生した。
【００５８】
流動パラフィンの代わりに、皮膚に対して浸透性が良好でベタツキを与えない高級脂肪酸低級アルコールエステル（ミリスチン酸イソプロピル）を多価アルコールとともに配合し、さらには、収斂剤を配合したためと推定される。
【００５９】
実施例４：乾燥肌、多感性、脂性にかかわらず、各試験項目でほとんど問題のない結果が得られた。
【００６０】
実施例３において多価アルコールとして保湿作用の大きなグリセリンを使用したためと推定される。
【００６１】
【表５】
0004143715.tif 000006
【００６２】
【発明の作用・効果】
本発明の指掌紋押捺用皮膚調整剤は、上記の如く、油脂性成分を過剰量の界面活性剤を使用してｏ／ｗ型エマルションの形態で含有させることにより、前述の如く、指掌紋採取台上に載置された指掌を裏面から光学的に読み取って指掌紋を採取するに際して、乾燥肌の人（年寄りや手がカサカサの人）、多汗性の人（緊張している人）、脂性の人等に持続性、再現性の良好な指紋採取が可能となる。
【００６３】
さらに、油脂性成分の一部を保湿剤（多価アルコール）で置換することにより、指掌紋採取の鮮明性が改善される。
【００６４】
また、油脂性成分を高級脂肪酸低級アルコールエステルとし、さらには、収斂剤を併用することにより、多汗性の人を除いて鮮明でにじみのない指掌紋採取が可能となる。
【００６５】
さらには、グリセリン等の多価アルコールで保湿性を増大させることにより、乾燥肌、多汗性、脂性の関係なく、持続性、再現性が良好で、鮮明かつにじみのない指掌紋採取が可能となり、さらには、ベタツキもなく、採取後の手の洗浄、および、検知部分のふき取りも不要となる。
【図面の簡単な説明】
【図１】指掌紋自動押捺装置の原理図。
【符号の説明】
１２    三角プリズム
１４    光源（発光ダイオード）
１６    ＣＣＤカメラ
１８    指掌紋採取台（プラテン：検知部）
【図１】
0004143715.tif 000007